(57)【特許請求の範囲】
【請求項１】
両面に表示パネルを備えた電気光学装置において、
第１および第２の光源を含み、照明光を第１および第２の面側にそれぞれ射出する第１および第２の照明手段と、
前記第１の照明手段と前記第２の照明手段間に設けられ、両面に反射面が形成された反射部材と、
前記第１の照明手段をバックライトとして第１の面側に設けられ、画像を表示可能なノーマリーホワイトの第１の表示パネルと、
前記第２の照明手段をバックライトとして第２の面側に前記第１パネルに重ねて設けられ、前記第１のパネルよりも外形が小さく、画像を表示可能な第２の表示パネルと、
を備え、
前記第１の照明手段は、前記第１の光源から発せられる照明光を前記第１の面側に導く第１の導光板を含み、前記第１の光源は、前記第１の導光板の端面に対向して配設され、
前記第２の照明手段は、前記第２の光源から発せられる照明光を前記第２の面側に導く第２の導光板を含み、前記第２の光源は、前記第２の導光板の端面に対向して配設され、
前記第１の光源は前記第２の表示パネルの画像を表示する領域と重ならない領域であって、前記第１の表示パネルと重なる領域に配置され、
前記第２の光源は前記第１の表示パネルの画像を表示する領域及び前記第２の表示パネルと重なる領域に配置され、
前記第２の光源と前記反射部材との間には遮光部材が配置され、
前記反射シートと前記遮光部材とで前記第２の光源から発光される照明光が、前記第１の表示パネル側に漏れるのを防止することを特徴とする電気光学装置。
【請求項２】
前記遮光部材は、前記第２の光源の頭部と前記反射部材の間に配設されており、前記第２の光源の頭部から前記第１の表示パネルに光が漏れるのを遮光することを特徴とする請求項１に記載の電気光学装置。
【請求項３】
前記遮光部材は、遮光テープであることを特徴とする請求項１又は請求項２に記載の電気光学装置。
【請求項４】
前記第１および第２の光源は、ＬＥＤであることを特徴とする請求項１〜請求項３のいずれか１つに記載の電気光学装置。
【請求項５】
前記遮光部材は、前記第１の面側は銀色を呈し、前記第２の面側は白色を呈することを特徴とする請求項１〜請求項４のいずれか１つに記載の電気光学装置。
【請求項６】
請求項１〜請求項５のいずれか１つに記載の電気光学装置を備えたことを特徴とする電子機器。
【発明の詳細な説明】
【技術分野】
【０００１】
本発明は、電気光学装置、およびこの電気光学装置を備えた電子機器に関し、詳細には、両面に表示パネルを備えた電気光学装置、およびこの電気光学装置を備えた電子機器に関するものである。
【背景技術】
【０００２】
従来より、開閉可能な蓋部を携帯電話やＰＤＡ（Ｐｅｒｓｏｎａｌ  Ｄｉｇｉｔａｌ  Ａｓｓｉｓｔａｎ）などの情報携帯端末の内側面と外側面に、２つの液晶表示装置を背中合わせに配設した両面液晶表示装置が用いられている。かかる両面液晶表示装置では、表裏に配設された第１および第２の液晶パネルと、第１および第２の液晶パネルの光源となる第１および第２のＬＥＤと、第１および第２のＬＥＤからの光を拡散して第１および第２の液晶パネルにそれぞれ導光する第１および第２の導光板と、第１および第２のＬＥＤから第１および第２の導光板を通過した光をそれぞれ反射する第１および第２の反射シートとで構成されているものが公知である（例えば、特許文献１参照）。
【０００３】
【特許文献１】特開平２００２−２４４１３３号公報、図６
【発明の開示】
【発明が解決しようとする課題】
【０００４】
しかしながら、上記従来の両面液晶表示装置においては、第１および第２の反射シートを使用しているが、両面液晶表示装置の薄型化のために、反射シートを共通化して両面に反射面が形成された反射シートを使用した場合には、第１のＬＥＤまたは第２のＬＥＤから発せられた光が、かかる反射シートを透過してその漏れ光が、第２または第１の液晶表示パネルに入射して表示ムラとなって観察者に視認されてしまうという問題がある。
【０００５】
本発明は、上記に鑑みてなされたものであり、両面に表示パネルを設け反射部材を共通化した場合に、表示ムラのない電気光学装置およびその電気光学装置を備えた電子機器を提供することを目的とする。
【課題を解決するための手段】
【０００６】
上述した課題を解決し、目的を達成するために、本発明は、両面に表示パネルを備えた電気光学装置において、第１および第２の光源を含み、照明光を第１および第２の面側にそれぞれ射出する第１および第２の照明手段と、前記第１の照明手段と前記第２の照明手段間に設けられ、両面に反射面が形成された反射部材と、前記第１の照明手段をバックライトとして第１の面側に設けられ、画像を表示可能なノーマリーホワイトの第１の表示パネルと、前記第２の照明手段をバックライトとして第２の面側に前記第１パネルに重ねて設けられ、前記第１のパネルよりも外形が小さく、画像を表示可能な第２の表示パネルと、を備え、前記第１の照明手段は、前記第１の光源から発せられる照明光を前記第１の面側に導く第１の導光板を含み、前記第１の光源は、前記第１の導光板の端面に対向して配設され、前記第２の照明手段は、前記第２の光源から発せられる照明光を前記第２の面側に導く第２の導光板を含み、前記第２の光源は、前記第２の導光板の端面に対向して配設され、前記第１の光源は前記第２の表示パネルの画像を表示する領域と重ならない領域であって、前記第１の表示パネルと重なる領域に配置され、前記第２の光源は前記第１の表示パネルの画像を表示する領域及び前記第２の表示パネルと重なる領域に配置され、前記第２の光源と前記反射部材との間には遮光部材が配置され、前記反射シートと前記遮光部材とで前記第２の光源から発光される照明光が、前記第１の表示パネル側に漏れるのを防止することを特徴とする。
【０００７】
上記発明によれば、遮光部材は、第２の光源から発光される照明光が、薄型化のために共通化した反射部材を透過して第１の表示パネルに漏れるのを遮光する。これにより、第２の光源から発光される照明光が、反射部材を透過して第１の表示パネルに漏れるのを防止することができる。この結果、両面に表示パネルを設け反射部材を共通化した場合に、表示ムラのない電気光学装置を提供することができる。
【０００８】
また、本発明の好ましい態様によれば、前記第１の照明手段は、前記第１の光源から発せられる照明光を第１の面側に導く第１の導光板と含み、前記第１の光源は、前記第１の導光板の端面に対向して配設され、前記第２の照明手段は、前記第２の光源から発せられる照明光を第２の面側に導く第２の導光板と含み、前記第２の光源は、前記第２の導光板の端面に対向して配設されていることが望ましい。これにより、サイドエッジ方式のバックライトを使用した場合に、第１の光源または第２の光源から発光される照明光が、反射部材を透過して第２の表示パネルまたは第１の表示パネルに漏れるのを防止することができる。
【０００９】
また、本発明の好ましい態様によれば、前記第１の表示パネルは、前記第２の表示パネルの外形より大きく形成されており、前記遮光部材は、前記第２の光源の頭部と前記反射部材の間に配設されており、前記第２の光源の頭部から前記第１の表示パネルに光が漏れるのを遮光することが望ましい。これにより、第２の光源の頭部から第１の表示パネルに漏れる照明光を防止することができる。
【００１１】
また、本発明の好ましい態様によれば、前記遮光部材は、遮光テープであることが望ましい。これにより、遮光部材を簡単および低コストな構造で構成することができる。
【００１２】
また、本発明の好ましい態様によれば、前記第１および第２の光源は、ＬＥＤであることが望ましい。これにより、光源として、点光源であるＬＥＤを使用したため、消費電力を低減できるとともに、バックライトを薄型化することができる。
【００１３】
また、本発明の好ましい態様によれば、前記第１の表示パネルは、ノーマリーホワイトであり、前記第２の表示パネルは、ノーマリーブラックであることが望ましい。これにより、第１の表示パネルが消灯時においても、第２の光源の光漏れによる表示ムラを防止することができる。
【００１４】
また、本発明の好ましい態様によれば、前記遮光テープは、前記第１の面側は銀色を呈し、前記第２の面側は白色を呈することが望ましい。これにより、第１の光源または第２の光源から発光される照明光が、反射部材を透過して第２の表示パネルまたは第１の表示パネルに漏れるのを効率良く遮光することができる。
【００１５】
また、本発明の好ましい態様によれば、電子機器は、上述の電気光学装置を搭載するのが望ましい。これにより、両面に表示パネルを設け反射部材を共通化した場合に、表示ムラのない電子機器を提供することができる。
【発明を実施するための最良の形態】
【００１６】
以下、この発明につき図面を参照しつつ詳細に説明する。なお、この実施例によりこの発明が限定されるものではない。また、下記実施例における構成要素には、当業者が容易に想定できるものまたは実質的に同一のものが含まれる。なお、以下の実施例においては、液晶表示装置を例として説明するが、本発明にかかる電気光学装置はこれに限定されるものではない。また、本明細書においては、電気光学パネルまたは電気光学モジュールの単体の場合も電気光学装置と称する。
【実施例】
【００１７】
図１は、本実施例にかかる電気光学装置を搭載した電子機器１の斜視図であり、図１−１は、蓋部を開いた状態の図、図１−２は、蓋部を閉じた状態の図である。図１−１に示すように、電子機器１には、蓋部の内側に第１の表示パネル（メイン表示パネル）１００が配設され、これと蝶番で開閉可能に接続された本体部５００にキーボードや各種制御部・処理部・記憶部等が搭載されている。そして、電子機器１の蓋部を矢印Ａ方向に閉じると、図１−２に示すように、蓋部の外側面に第２の表示パネル（サブ表示パネル）２００が配設されている。
【００１８】
図２は、本実施例の電気光学装置の構成を模式的に示す断面図である。本実施例の電気光学装置１０は、両面液晶表示装置であり、大別すると、画像を表示可能な第１の表示パネル１００と、第１の表示パネル１００に照明光を照射するための第１の照明手段１１０と、第１の表示パネル１００より小さい外形を有し、画像を表示可能な第２の表示パネル２００と、第２の表示パネル２００に照明光を照射するための第２の照明手段２１０と、第１の照明手段１１０と第２の照明手段２１０間に配設されており、両面に反射面が形成されている反射シート３００と、第２のＬＥＤ２１１の照明光が第１の表示パネル１００側に漏れるのを防止するための遮光テープ４００とを備えている。以下の説明では、第１の表示パネル１００が配設されている面を第１の面、第２の表示パネル２００が配設されている面を第２の面と称する。
【００１９】
第１の表示パネル１００は、アクティブマトリクス型のカラー液晶表示パネルであり、
ノーマリーホワイトとなっている。かかる第１の表示パネル１００は、対向して配設された二枚の上表示基板１００ａおよび下表示基板１００ｂの間に液晶が封入されて構成されている。上表示基板１００ａおよび下表示基板１００ｂはガラスで構成される。上表示基板１００ａには、不図示のカラーフィルタ、保護層、ＩＴＯ膜で形成された第１の駆動電極等が形成されている。下表示基板１００ｂには、不図示のＴＦＤやＴＦＴ等のスイッチング素子、保護膜、第２の駆動電極等が形成されている。第１の表示パネル１００の上側および下側にはそれぞれ第１の上偏光板１０１および第２の下偏光板１０２が貼着されている。
【００２０】
第２の表示パネル２００は、パッシブマトリクス型のモノクロ液晶表示パネルであり、ノーマリーブラックとなっている。かかる第２の表示パネル２００は、対向して配設された二枚の上表示基板２００ａおよび下表示基板２００ｂの間に液晶が封入されて構成されている。上表示基板２００ａおよび下表示基板２００ｂはガラスで構成される。上表示基板２００ａおよび下表示基板２００ｂには、走査電極およびデータ電極が形成されている。第２の表示パネル２００の両面にはそれぞれ第２の上偏光板２０１および第２の下偏光板２０２が貼着されている。
【００２１】
第１の偏光板１０２の第２の面側には、第１の照明手段１１０が配設されている。この第１の照明手段１１０は、ＦＰＣ１２０に実装され、第１の導光板１１２の端面に対向する位置に配設された点光源である第１のＬＥＤ１１１（複数個設けられている）と、第１のＬＥＤ１１１から発せられた照明光を第１の表示パネル１００に導出する第１の導光板１１２と、第１の導光板１１２から出射される照明光を拡散する第１の拡散シート１１３と、および第１の拡散シート１１３で拡散された照明光を偏光する第１のプリズムシート１１４とで構成されている。
【００２２】
同様に、第２の偏光板２０２の第１の面側には、第２の照明手段２１０が配設されている。この第２の照明手段２１０は、ＦＰＣ２２０に実装され、第２の導光板２１２の端面に対向する位置に配設された点光源である第２のＬＥＤ２１１（複数個設けられている）と、第２のＬＥＤ２１１から発せられた照明光を第２の表示パネル２００に導出する第２の導光板２１２と、第２の導光板２１２から出射される照明光を拡散する第２の拡散シート２１３と、および第２の拡散シート２１３で拡散された照明光を偏光する第２のプリズムシート２１４とで構成されている。
【００２３】
第１の導光板１１２と第２の導光板２１２の間には、両面に反射面が形成された反射シート３００が配設されている。かかる反射シート３００は、第１の導光板１１２の漏れ光を第１の面側に反射する一方、第２の導光板２１２の漏れ光を第２の面側に反射する。第１の面側では、第１のＬＥＤ１１１から発せられた照明光は、第１の導光板１１２と、第１の拡散シート１１３と、第１のプリズムシート１１４、および第１の下偏光板１０２を介して、第１の表示パネル１１０に入射する。他方、第２の面側では、第２のＬＥＤ２１１から発せられた照明光は、第２の導光板２１２と、第２の拡散シート２１３と、第２のプリズムシート２１４、および第２の下偏光板２０２を介して、第２の表示パネル２００に入射する。
【００２４】
ここで、第２のＬＥＤ２１１の頭部上には、第１の表示パネル１００が配設されているため、第２のＬＥＤ２１１から発せられた照明光の一部Ｌ１が、反射シート３００を透過して第１の表示パネル１００に入射して、第１の表示パネル１００の観察者に明部となって視認されてしまう可能性がある。第１の表示パネル１００は、ノーマリーホワイトであるので、特に、第１の表示パネル１００を駆動していない場合（消灯時）に第２のＬＥＤ２１２による光漏れが視認され易い。そこで、本実施例では、第２のＬＥＤ２１１の頭部から発せられた照明光が第１の表示パネル１００に漏れないように、薄膜の遮光テープ４００を、第２のＬＥＤ２１２の頭部と反射シート３００の間に配設している。遮光テープ４００の一方の面は、第２のＬＥＤ２１１の頭部に貼り付けら、他方の面は、反射シート３００に貼り付けられる。これにより、第２のＬＥＤ２１１から発せられた照明光Ｌ１は、遮光テープ４００で遮光されて、第１の表示パネル１００に漏れるのを防止することができる。遮光テープ４００の両面のシート色を第１の面側と第２の面側で、例えば、”白色と銀色”、”黒色と銀色”、”銀色と白色”、”白色と銀色”、または”銀色と銀色”とすることができるが、”銀色と白色”が光を効率よく遮光できより好ましい。
【００２５】
図３は、遮光テープ４００の形状を説明するための平面図であり、第２の面側から遮光テープ４００と反射シート３００を見た平面図である。遮光テープ４００は、貼り付けが容易なように突出部４０１を有する構成となっており、複数個の第２のＬＥＤ２１２を１枚で遮光する構造となっている。
【００２６】
以上説明したように、上記実施例によれば、第１の表示パネル１００および第２の表示パネル２００に照明光をそれぞれ射出する第１の照明手段１１０および第２の照明手段２１０間に、両面に反射面が形成された反射シート３００を設けて薄型化した構造において、第２のＬＥＤ２１１から発光される光が、第１の表示パネル１００に漏れるのを防止するための遮光テープ（遮光部材）４００を設けているので、第２のＬＥＤ１１１から発光される光が、反射シート３００を透過して第１の表示パネル１００に漏れるのを防止することができる。この結果、表示ムラのない電気光学装置を提供することができる。
【００２７】
また、本実施例によれば、第１の表示パネル１００は、第２の表示パネル２００の外形より大きく形成されており、遮光テープ４００は、第２のＬＥＤ２１１の頭部と反射シート３００間に配設されており、第２のＬＥＤ２１１の頭部から第１の表示パネル１００に光が漏れるのを遮光しているので、第２のＬＥＤ２１１の頭部から第１の表示パネル１００に光が漏れるのを防止できる。また、本実施例によれば、遮光部材として、遮光テープ４００を使用しているので、遮光部材を簡単および低コストな構造で構成することができる。
【００２８】
また、本実施例によれば、光源として、点光源であるＬＥＤを使用しているので、消費電力を低減できるとともに、バックライトを薄型化することができる。また、本実施例によれば、第１の表示パネル１００は、ノーマリーホワイトであり、第２の表示パネルは、ノーマリーブラックであるので、第１の表示パネル１００が消灯時においても、第２のＬＥＤ２１１の光漏れによる表示ムラを防止することができる。また、本実施例によれば、遮光テープ４００は、第１の面側を銀色、第２の面側を白色としたので、光を効率良く遮光することができる。
【００２９】
なお、上記実施例では、第２のＬＥＤ２１１の頭部上に第１の表示パネル１００を配設することとしたが、本発明はかかる構成に限定されるものではなく、第１のＬＥＤ１１１の頭部上に第２の表示パネル２００を配設して、第１のＬＥＤ１１１からの漏れ光を遮光するために遮光テープを配設することにしても良い。
【００３０】
（参考例）
図４は、上記実施例の変形例を説明するための電気光学装置１の模式的な断面図である。図４において、図２と同等機能を有する部位には、同一符号を付し、共通する部分の説明は省略する。変形例では、反射シート３００の第２のＬＥＤ２１１の頭部を覆う位置に、遮光テープ４００と略同一形状の切り抜き部（穴）３０１を形成している。そして、この反射シート３００の切り抜き部３０１に、遮光テープ４００を配設して、遮光テープ４００を第１の導光板１１２と第２のＬＥＤ２１１の頭部に貼り付けている。反射シート３００と遮光テープ４００は略面一となっている。
【００３１】
上記変形例によれば、反射シート３００の第２のＬＥＤ２１１の頭部を覆う位置に、
遮光テープ４００と略同一形状の切り抜き部（穴）３０１を形成し、この切り抜き部３０１に、遮光テープ４００を配設しているので、反射シート３００と遮光テープ４００を略面一とすることができ、電気光学装置をより薄型化することができる。
【産業上の利用可能性】
【００３２】
本発明にかかる電気光学装置は、透過型、反射型、および半透過型の電気光学装置に利用することができる。また、本発明にかかる電気光学装置は、パッシブマトリクス型の電気光学装置やアクティブマトリクス型の電気光学装置（例えば、ＴＦＴ（薄膜トランジスタ）やＴＦＤ（薄膜ダイオード）をスイッチング素子として備えた電気光学パネル）に利用することができる。さらに、本発明にかかる電気光学装置は、液晶表示装置に限らず、有機エレクトロルミネッセンス装置、無機エレクトロルミネッセンス装置、プラズマディスプレイ装置、電気泳動表示装置、電子放出表示装置（Field Emission DisplayおよびSurface-Conduction Electron-Emitter Display等）、ＬＥＤ（ライトエミッティングダイオード）表示装置等のように、複数の画素毎に表示状態を制御可能な各種の電気光学装置に利用することができる。
【００３３】
本発明にかかる電気光学装置を搭載した電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。
【図面の簡単な説明】
【００３４】
【図１−１】本実施例の電子機器の概略の全体構成を示す斜視図。
【図１−２】本実施例の電子機器の概略の全体構成を示す斜視図。
【図２】本実施例の電気光学装置の模式的な断面図。
【図３】遮光テープを説明するための平面図。
【図４】参考例を示す断面図
【符号の説明】
【００３５】
１  電子機器、１０  電気光学装置、１００  第１の表示パネル（メイン表示パネル）、１０１  第１の上偏光板、１０２  第１の下偏光板、１１０  第１の照明手段、１１１  第１のＬＥＤ、１１２  第１の導光板、１１３  第１の拡散シート、１１４  第１のプリズムシート、１２０  ＦＰＣ、２００  第２の表示パネル（サブ表示パネル）、２０１  第２の上偏光板、２０２  第２の上偏光板、２１０  第２の照明手段、２１１  第２のＬＥＤ、２１２  第２の導光板、２１３  第２の拡散シート、２１４  第２のプリズムシート、２２０  ＦＰＣ、３００  反射テープ、４００  遮光テープ、４０１  突出部、  ５００  本体部
【図１−１】
0004682502.tif 000002
【図１−２】
0004682502.tif 000003
【図２】
0004682502.tif 000004
【図３】
0004682502.tif 000005
【図４】
0004682502.tif 000006